(57)【要約】【課題】耐水性に富み、所望の柔らかさを得ることができる水場用枕を提供する。【解決手段】円筒状に成形され、所定の荷重が付与されると径方向に撓む枕本体３と、該枕本体３の上部に形成され、使用者の頭部を載置可能な載置部３ａと、該載置部３ａの反対側に形成され、当該枕本体３を浴槽１の縁部１ａに固定する固定手段としての吸盤４とを具備した水場用枕２であって、枕本体３がＰＴＭＧ（ポリテトラメチレンエーテルグリコール）及び発泡剤を含む原料から成るものである。【選択図】　図１
2004033668.tif 000002
【特許請求の範囲】
【請求項１】
筒状に成形され、所定の荷重が付与されると径方向に撓む枕本体と、
該枕本体に形成され、使用者の頭部を載置可能な載置部と、
該載置部の反対側に形成され、当該枕本体を所定位置に固定する固定手段と、を具備した水場用枕であって、
前記枕本体がＰＴＭＧ及び発泡剤を含む原料から成ることを特徴とする水場用枕。
【請求項２】
前記枕本体は、ＰＴＭＧ及び発泡剤の他、顔料を含む原料から成ることを特徴とする請求項１記載の水場用枕。
【請求項３】
前記固定手段は吸盤から成り、前記枕本体に対し脱着自在とされたことを特徴とする請求項１又は請求項２記載の水場用枕。
【発明の詳細な説明】
【０００１】
【発明の属する技術分野】
本発明は、風呂場やプール等水場で使用可能な水場用枕に関する。
【０００２】
【従来の技術】
近時における風呂場の浴槽は、個々の生活スタイルに合致させるべく様々な形態のものが提案されている。中でも、体を横たえて入浴可能な浅底の浴槽が多く見受けられるようになってきており、かかる浴槽によって安息感をより多く得ることができる。即ち、座ったままの入浴よりも横になって入浴した方が楽であるとの発想であるが、その場合、入浴者の頭部は、浴槽の周縁に形成された縁部に載置する必要がある。
【０００３】
【発明が解決しようとする課題】
しかしながら、浴槽の縁部は、通常硬く形成されており、長時間頭部を載置するのが困難となっていた。また、縁部の高さは頭部を載置するのに低い場合が多く、入浴者が自分の腕を頭部の後ろに回して添えることにより所望の高さを得る必要があった。
そこで、風呂場に持ち込んだ手ぬぐい等を縁部に置き、その手ぬぐいを枕にしつつ横になった入浴をすれば、長時間の入浴を容易とすることができるのであるが、就寝用の枕の如き所望の柔らかさを得ることは依然困難であり、より好ましい柔らかさの簡易的な枕が望まれていた。その一方で、風呂場は湿気が多く、浴槽の縁部には湯がかかることが多分に予想されるので、耐水性に富んだ柔らかい枕が必要となる。
【０００４】
本発明は、このような事情に鑑みてなされたもので、耐水性に富み、所望の柔らかさを得ることができる水場用枕を提供することにある。
【０００５】
【課題を解決するための手段】
請求項１記載の発明は、筒状に成形され、所定の荷重が付与されると径方向に撓む枕本体と、該枕本体に形成され、使用者の頭部を載置可能な載置部と、該載置部の反対側に形成され、当該枕本体を所定位置に固定する固定手段とを具備した水場用枕であって、前記枕本体がＰＴＭＧ及び発泡剤を含む原料から成ることを特徴とする。
【０００６】
請求項２記載の発明は、請求項１記載の水場用枕において、前記枕本体は、ＰＴＭＧ及び発泡剤の他、顔料を含む原料から成ることを特徴とする。
【０００７】
請求項３記載の発明は、請求項１又は請求項２記載の水場用枕において、前記固定手段は吸盤から成り、前記枕本体に対し脱着自在とされたことを特徴とする。
【０００８】
【発明の実施の形態】
以下、本発明の実施形態について図面を参照しながら具体的に説明する。
本実施形態に係る水場用枕は、図１に示すように、風呂場に設置された浴槽１の周縁、例えば同図の縁部１ａ上に固定され使用されるものである。即ち、浴槽１は、入浴者が横になり得るよう、浅底且つ平面視長方形に形成されており、その短辺である縁部１ａの上面に本実施形態における水場用枕２が固定されるのである。
【０００９】
かかる水場用枕２は、図２〜図４に示すように、略円筒状に成形された枕本体３と、固定手段としての吸盤４とから構成されている。枕本体３の上面（当該枕本体３を横に載置した場合の上面）の一部には、使用者（入浴者）の頭部を載置し得る載置部３ａが形成されており、該載置部３ａの反対側（即ち、下面）には２つの吸盤４が枕本体３の長手方向に並んで形成されている。
【００１０】
枕本体３は、ウレタンの原料であるＰＴＭＧ（ポリテトラメチレンエーテルグリコール）及び発泡剤を含む原料を成形させて円筒状部材としたものであり、所定の荷重が付与されると径方向（図３における矢印方向）に撓み得るよう構成されている。これにより、使用者が頭部を平面部３ａに載置すると、枕本体３が撓んで柔らかさを得ることができる。
【００１１】
また、枕本体３がＰＴＭＧ及び発泡剤を含む原料から成るので、吸水性が低く、浴槽１内の湯がかかっても水を含んで脆弱となるのが回避されるとともに、高弾性となって使用者の頭部を載置したときに得られる感触を向上させることができる。尚、吸水性が低いので耐水性が向上し、風呂場等湿気が多く湯がかかり易い所にも使用可能である。更に、これら原料で枕本体３を成形しているので、当該枕本体３が耐摩耗性に富んだものとなっており、長期の使用に耐え得るようになっている。
【００１２】
また更に、枕本体３は、ＰＴＭＧや発泡剤の他、青色の顔料を含む原料から成り、青色に着色されている。これにより、耐光性を向上させることができ、長期の使用においても黄変等変色するのを防止することができる。また、青色の顔料で枕本体に着色しているので、意匠性も向上させることができる。尚、顔料は青色に限らず他の色であってもよいが、耐光性を考慮すると、暗色が好ましく、風呂場で用いられることを勘案すると青色が好ましい。
【００１３】
上記の如く、枕本体３全体（即ち、内部も含む）が青色に着色されて耐光性及び意匠性を向上させているが、これに代えて、枕本体３が顔料を含まない原料で成形された後、外観面のみに所定の着色剤を塗布するようにしてもよい。かかる場合であっても、耐光性及び意匠性を向上させることができるとともに、内部も含む全体を着色するものに比べ、使用する顔料の量を減少させることができる。
【００１４】
枕本体３の上面に形成された載置部３ａは、使用者の頭部を載置し易いように平面とされた部分から成り、該載置部３ａと向かい合う部位、即ち枕本体３の下面には、当該載置部３ａと略平行な平面部３ｂが形成されている。この平面部３ｂには、図４に示すように、２つの吸盤４が所定寸法離間して脱着自在に形成されている。
【００１５】
具体的には、図５に示すように、吸盤４は、浴槽１の縁部１ａ面に吸着可能な吸着部４ａと、該吸着部４ａの裏面側から突起した突起部４ｂとから主に構成されており、突起部４ｂの突端には当該突起部４ｂより大径の係止部４ｂａが形成されている。一方、枕本体３の平面部３ｂには、突起部４ｂの外径と略等しい径の貫通孔３ｂａを形成しておき、かかる貫通孔３ｂａに突起部４ｂを挿通させ得るようになっている。
【００１６】
そして、突起部４ｂ突端の係止部４ｂａを貫通孔３ｂａに強く押圧すれば、貫通孔３ｂａが拡がって突起部４ｂが挿通され、係止部４ｂａと貫通孔３ｂａの内周縁部とが係合するので、吸盤４が枕本体３に固定されることとなる。反対に、吸盤４を枕本体３から取り外すには、吸着部４ａを把持して強く引っ張れば、貫通孔３ｂａが拡がって係止部４ｂａが引き出され、突起部４ｂを当該貫通孔３ｂａから抜くことにより行われる。
【００１７】
このように、吸盤４の枕本体３からの脱着が極めて容易であるため、水場用枕２を洗浄する時や固定の必要がない時に簡単に取り外すことができ、特に洗浄する時には、吸盤４と枕本体３とを別個に洗浄することができる。即ち、これらを一体のまま洗浄する場合、枕本体３における吸盤４によって隠れた部分の洗浄が困難なのに対し、本実施形態の如く取り外し可能となっていれば、それぞれ良好に洗浄することができるのである。
【００１８】
また、吸盤４の寿命や破損等により、縁部１ｂに対する吸着が良好に行われなくなった際の交換も容易に行うことができる。尚、本実施形態においては、枕本体３を固定させる手段として吸盤４が形成されているが、他の手段（例えば粘着テープやネジ等）としてもよい。然るに、粘着テープやネジとした場合、縁部１ｂに対する繰り返しの固定ができなくなってしまうので、本実施形態の如く吸盤が好ましい。
【００１９】
上記の如く形成された水場用枕２を使用するには、まず、吸盤４が枕本体３に取り付けられた状態とし、その吸盤４の吸着部４ａを浴槽１の縁部１ａにおける所望位置に押圧して吸着させる。これにより、枕本体３が浴槽１の縁部１ａに固定されることとなる。そして、入浴者が浴槽１内で横になって枕本体３の載置部３ａに頭部を載置すれば、その重みで枕本体３が径方向に撓み、頭部を柔らかく支持する。
【００２０】
ここで、枕本体３の撓み量は、当該枕本体３の肉厚によって容易に調整することができる。即ち、枕本体３の肉厚を厚くすれば撓み量が減少して硬めの枕とすることができる一方、肉厚を薄くすれば撓み量が増加して柔らかめの枕とすることができる。勿論、枕本体３の肉厚の調整は、当該枕本体３の成形時に行われる必要があり、成形金型のキャビティの変更を伴う。
【００２１】
ところで、枕本体３の固定位置は、浴槽１の縁部１ａに限らず、浴槽１と接する壁面とすることができる。風呂場の壁面は、通常、タイル等が敷設されているため、そのタイルの表面に吸盤４を吸着し、枕本体３を固定することができるのである。この場合であっても、枕本体３が浴槽１側に突出して使用者の頭部を載置することができるので、上記と同様の柔らかい枕としての機能を果たすことができる。
【００２２】
また、縁部が高く設計された浴槽である場合、浴槽１の内周面に枕本体３を固定させることができる。この場合であっても、浴槽１の内周面における上端近傍（水位より上とする必要がある）に吸盤４を吸着させ、使用者の頭部を載置することとなるが、上記と同様の柔らかい枕としての機能を果たすことができるのである。
【００２３】
次に、本実施形態に係る水場用枕２の製造方法について説明する。
まず、ＰＴＭＧを８０以上、シリコンを０．１〜０．３程度、発泡剤を０．３〜０．５程度、触媒を０．５〜１．５程度混合したＡ液を作製し、インソネートから成るＢ液と混ぜ合わせる。このときの配合割合は、Ａ液が１００に対してＢ液が２０〜３０とする。
【００２４】
上記の如く配合した原料に、整泡剤や架橋剤、及び所望の顔料を適宜混ぜるようにしてもよい。このようにして作製された原料を成形金型に流し込み、所定の温度により成形して枕本体３を得る。かかる枕本体の平面部３ｂに貫通孔３ｂａを造り込んでおき、該貫通孔３ｂａに吸盤４を取り付けて水場用枕２の製造作業が終了する。尚、枕本体３を成形した後、平面部３ｂに貫通孔３ｂａを明け、これに吸盤４を取り付けるようにしてもよい。
【００２５】
以上、本実施形態について説明したが、本発明はこれに限定されるものではなく、例えば内部に閉塞された空間を有した枕本体としてもよい。即ち、筒状に形成された枕本体の両端部（どちらか一方でもよい）を塞ぐように成形し、内部に空間を有したものとしてもよい。この場合であっても、頭部を載置すれば枕本体が空間側に撓み、柔らかい枕としての機能を果たすことができる。
【００２６】
また、本水場用枕は、風呂場で使用されるものに限らず、水場であれば他の場所（例えば、プール等）において使用することができる。尚、使用される場所に応じて固定手段を変更（例えば、既述した粘着テープやネジ等）するようにすれば、枕本体を確実に固定することができる。
【００２７】
【発明の効果】
請求項１の発明によれば、筒状に形成され、所定の荷重が付与されると径方向に撓む枕本体がＰＴＭＧ及び発泡剤を含む原料から成るので、耐水性に富み、所望の柔らかさを得ることができる。
【００２８】
請求項２の発明によれば、枕本体が、ＰＴＭＧ及び発泡剤の他、顔料を含む原料から成るので、耐光性を向上させることができ、長期の使用においても黄変等変色するのを防止することができる。また、所定色の顔料で枕本体に着色すれば、意匠性も向上させることができる。
【００２９】
請求項３の発明によれば、固定手段が吸盤から成り、枕本体に対し脱着自在とされたので、枕本体を使用者の好みの場所に固定させることができるとともに、固定の必要がない場所においては取り外して使用することができる。また、枕本体から固定手段としての吸盤を取り外せば、枕本体と吸盤とを別個に洗浄することができ、それぞれをよりきれいに洗浄することができる。
【図面の簡単な説明】
【図１】本発明の実施形態に係る水場用枕を風呂場に設置した場合を示す模式図
【図２】本発明の実施形態に係る水場用枕を示す上面図
【図３】同右側面図
【図４】同下面図
【図５】図４におけるＶ−Ｖ線断面図
【符号の説明】
１…浴槽
１ａ…縁部
２…水場用枕
３…枕本体
３ａ…載置部
４…吸盤（固定手段）
【図１】
2004033668.tif 000003
【図２】
2004033668.tif 000004
【図３】
2004033668.tif 000005
【図４】
2004033668.tif 000006
【図５】
2004033668.tif 000007